(57)【要約】      （修正有）【課題】食事者が食べこぼした食物は食卓テーブル１０と食事者との間に存する空間から落下するが、従来技術ではこの空間の一部に落ちた食物しか捕獲できないため取り逃しが多く腹部の一部や脚部や床が汚れる事を防げなかった。本考案はこの空間の全てをカバーする方策を提供する事により腹部・脚部・床の汚れを防止する。【解決手段】本考案は食卓テーブル下部に２基のアーム１を設置してアーム１下部に捕獲ネット１２を懸架する事により食卓テーブルから食事者の腹部までの間の空間の全てを捕獲範囲とし、食べこぼしを漏れなくキャッチして腹部・脚部・床の汚れを防止するのに役立つ。【選択図】図７
0003134403.tif 000002
【実用新案登録請求の範囲】
【請求項１】
パイプ状の外ロッド、前記外ロッドの内部空間をスライドする内ロッド、前記スライドの駆動・制止を制御する内ロッドストッパー、前記外ロッドを懸架すると共に当該外ロッドを前記内ロッドのスライド方向と同じ向きにスライドさせる旋回脚、前記外ロッドのスライドの駆動・制止を制御する外ロッドストッパー、及び前記旋回脚を懸架し且つ旋回させるブリッジ脚と当該旋回の駆動・制止を制御する旋回制御ストッパーを主な構成要素とするアームを二基一組とし、当該アームの各々を互いに所定の距離を保ちながら前記ブリッジ脚若しくはブリッジ脚に連結固定された留め具を介して食卓テーブルに設置固定し、さらに前記アームの所定の位置に設けた留め具を用いて若しくは前記アーム自体に、捕獲ネットを懸架した事を特長とする食べこぼしキャッチャー。
【考案の詳細な説明】
【技術分野】
【０００１】  本考案は幼児・老人・身障者が食事中に口・手指・箸・スプーン・フォーク等から或いは食器や食卓テーブル上から食べ物をこぼし、腹部・脚部の衣服や床が汚れるのを防ぐための食べこぼしキャッチャーに関する。
【背景技術】
【０００２】  幼児・老人・身障者等の食べこぼしによる腹部・脚部の衣服や床の汚れを防ぐ方策としては従来より「よだれ掛」やエプロン、或いはそれらにポケットを設けたものがあった。
【考案の開示】
【考案が解決しようとする課題】
【０００３】  エプロンやよだれ掛（以下エプロンとする）は胸や腹の衣服の汚れを防ぐには効果的だがエプロンの上に落下するものしか防げないため腹部の一部（脚部に近い部分）や脚部や床に落下する食物を殆ど食い止める事ができず掃除や洗濯が大変だった。又、エプロンにポケットを設けて落下物を捕獲する改良品もあるが、それでも食卓テーブルとポケットの間にどうしても大きな隙間ができるので、その隙間を通って「脚部に近い腹部」や「脚部」或いは「床」に落ちる物の捕獲ができず充分な効果が得られなかった。さらに、幼児の場合は成長して好き嫌いが現れるにつれ、また老人の場合は恥ずかしさや大人としてのプライドから、エプロンの着用を嫌がる事も多く、食事の度に着用を巡ってひと悶着起きるがゆえに着用を断念する事もあった。
【課題を解決するための手段】
【０００４】  食卓テーブル下部に一対のアームを互いに一定の距離を保ちながら平行または「ハ」の字に開いた状態で懸架し、着座（脚付き椅子の利用を含む）した食事者の腹部両側面（横腹）まで各アームが届くようにした。以上２基のアームが作る方形の空間に天に向けて開口した捕獲ネットを懸架し、開口部が食卓テーブル下部から腹部までの空間を密に覆うようにする事により落下物（食べこぼし）を捕獲できない空間を無くして問題点を解決した。
なお、上記構造だけでは本考案を使わない時もアームが食卓テーブルから張り出したままになり何かと邪魔になるため、次の構造及び機能を併設する事によりそのマイナス面も解決した。【０００５】  即ち第一点として、アームの「長さ」を司る部分をパイプ形の外ロッドとその中をスライドする内ロッドの２層構造とする事によりアームにラジカセのアンテナのような伸縮機能を持たせ、不使用時にはアームの長さを縮めて張り出しを半減させた。一方、使用時に張り出したアームが不慮に縮んで使用の妨げになる場合があるので内ロッドのスライドを任意の位置で制止・固定できる制御機構（内ロッドストッパー）も設けた。【０００６】  第二点としては外ロッドを食卓テーブルに直接設置せず旋回脚を介して懸架させる事で以下の機能を追加した。まず旋回脚の側面には外ロッドがちょうど入る水平の孔を貫通させその孔に外ロッドを通しスライドできるようにした（スライドの方向は外ロッド内部を内ロッドがスライドする向きと同じ）。段落０００５の伸縮機能だけでアームの張り出しを完全には解消できない時、この第二点の機能を使って外ロッドを旋回脚の孔の中でスライドさせながら食卓テーブル下部に向け押し込む事で、張り出しを完全に無くす事ができた。又、第二点の場合も外ロッドのスライドを制止または解放するための制御機構として外ロッドストッパーを設けた。【０００７】  最後に第三点として食卓テーブル下部で前記外ロッドのスライド先に突起物（又は障害物）がありスライドが妨げられて段落０００６の効果を十分果たせない場合の対策として、前記旋回脚に旋回機構を設けて外ロッドを回転させ、突起物に対し外ロッドの横腹を向ける事で突起物によるスペース上の制約を回避できた。又、旋回制御ストッパーも設けた事により不慮の旋回による使用中断等の懸念も解消できた。なお、旋回脚の回転・旋回を可能とするため、ブリッジ脚に旋回脚を懸架させ、ブリッジ脚を食卓テーブルに固定・懸架した。
以上、第一点から第三点までの対策によりアームを用いたことによる派生的な問題を全て解決した上で食べこぼしの捕獲率を飛躍的に高め且つ段落０００３の問題点を解決した。
【考案の効果】
【０００８】  エプロンのポケットでは捕獲できなかった、食卓テーブルとポケットの間の落下物を捕獲できるようになり、腹部や特に脚部・床の汚れが無くなるためそれらを原因とする掃除や洗濯の手間が無くなった。さらに、本考案においてはエプロンのように食事者が身に纏う必要がないので、食事者が着用を嫌がる問題も解消できた。
【実施例】
【０００９】  図１及び図２は本考案の実施例におけるアーム１の態様を示す斜視図である。内ロッド２は棒状の部品で、パイプのように内部が空洞になっている外ロッド３の中をスライドする。内ロッド２を外に引き出しアーム１の全長を長くした状態を示すのが図１であり、逆に外ロッド３の内部に引き込んでアーム１を短くした状態が図２である。又、内ロッド２の両先端部のうち外ロッド３に常に接している方の外周と、外ロッド３の両先端部のうち内ロッド２に常に接している方の内周の各々にリング状の起伏を設け、アーム１の長さが最大の時に互いにそれらが咬み合い内ロッド２が外ロッド３から抜け落ちないようにした。その各々のリング状の起伏の両者を合わせて内ロッドストッパー６とした（内ロッドストッパー６の構造については図４、図５及び図６を参照）。
なお内ロッドストッパー６の他の形式として、内ロッド２と外ロッド３の形状を図面記載の直方体とは異なり円筒形にし、且つ前記内ロッド２外周のリング状起伏を雄ネジ、外ロッド３内周のリング状起伏を雌ネジに変え、当該雌雄のネジ部を互いに回して咬ませる事により、内ロッド２の脱落防止と共に内ロッド２が使用中に外ロッド３内に引き込まれアーム１の長さが誤って短縮される不具合を防ぐ事もできて便利である（図示省略）。【００１０】  次に外ロッド３を前後にスライドさせる仕組について説明する（スライドの向きは外ロッド３の中をスライドする内ロッド２の向きと同一）。図１または図２に示すように、旋回脚４の側面を水平に貫通させた横孔に外ロッド３を通し、その孔を通ってスライドできるように外ロッド３の外径を均一にした。又、スライドの制御機能として旋回脚４の下面から側面の横孔まで達する縦孔を雌ネジ形式にして別に設け、その雌ネジ孔に雄ネジである外ロッドストッパー７を下から回しながら指し込み外ロッド３を圧迫してそのスライドを制止できるようにした。外ロッドストッパー７を緩めれば圧迫が解かれ外ロッド３は自由にスライドできる。【００１１】  次に外ロッド３を水平に旋回させる仕組を説明する。まず旋回脚４の上部が直径の異なる２種類の円筒になるように切削加工した。上下に重なり一体となった２つの円筒は、上側の底面の直径が下側の直径より大きく全体を側面から見ると凸の上下を逆転させた形になった。この２つの円筒部分を旋回脚上部１１とした（図２参照。但し、旋回脚上部１１の２つの円筒を区別して描写する事は図柄を複雑にするため省略し１個の円筒にて表示した）。この旋回脚上部１１の外形と同じ形を内部空間に持つパイプ状のブリッジ脚５を、旋回脚上部１１を外側から包むように装着した上でブリッジ脚５を手に持つと、旋回脚上部１１における上側の直径が長い部分の円筒がブリッジ脚５の内部空間のうち直径が小さくなっている部分に引っ掛かるため旋回脚上部１１はブリッジ脚５に保持されたまま落下せず、しかも水平に旋回する事ができた。旋回脚上部１１は旋回脚４の一部なので旋回脚上部１１が旋回すれば旋回脚４も旋回し、従って旋回脚４に装着された外ロッド３も旋回する。【００１２】  この状態でブリッジ脚５の上に支持盤９を載せて両者を固定・一体化し、さらに支持盤９を食卓テーブル１０の下面に設置固定した（図１）。支持盤９及びブリッジ脚５は食卓テーブル１０に固定されるが旋回脚上部１１以下は上述のように旋回する（図２）。なお旋回を制御する仕組として、ブリッジ脚５の側面から内側中空部まで水平に貫通する雌ネジ孔を設け、雄ネジである旋回制御ストッパー８を外から差し込む事により旋回脚上部１１に圧力を加えて旋回を止められるようにした。
以上の内ロッド２、外ロッド３、旋回脚４、ブリッジ脚５、内ロッドストッパー６、外ロッドストッパー７、旋回制御ストッパー８、支持盤９、及び旋回脚上部１１をアーム１の主要な構成要素とした。【００１３】  次にアーム１及びその他の部材を用いた本考案の全体像及び利用時の態様を説明する。２基のアーム１を互いに４０〜５０センチメートル程度の間隔を開け食卓テーブル１０の下面で且つ「食卓テーブルの先端部２２」近辺に固定・懸架し、一対のブリッジ脚５をブリッジ２１によって連結一体化した（図４、図５及び図６参照）。ブリッジ２１はアーム１を食卓テーブル１０から引離そうとするゴムバンド１３（後述）の張力を逃がすための緩衝部材である。【００１４】  まず図５は本考案を利用しない時の収納方法の標準的な態様を示すものであり、内ロッド２を外ロッド３内に収納しておく事でアーム１及び捕獲ネット１２が完全に食卓テーブル１０下部に収められた状態を示し、且つそれを真上から鉛直下方向に向かって見た時の様子を示す。食卓テーブル１０のうち一点鎖線部が示す「食卓テーブル切欠部２０」の内側を図面上のみ切り取った事にし、食卓テーブル１０下部に懸架された状態の実施例の構造を見易くしてある。又、図５の２基のアーム１及びそれらによって作られた方形空間の周囲を囲むようにして捕獲ネット１２を設置した様子と、内ロッド２が外ロッド３の中に目一杯収納された状態も示す。
なお図５では支持盤９、外ロッドストッパー７、及び旋回制御ストッパー８の図示は省略してあり、且つ内ロッド２及び外ロッド３のみ図１のＡ−Ａ’線とＢ−Ｂ’線を結んで水平に切断した時の断面図と成っている（図４及び図６も同様とする）。又、「食卓テーブル切欠部２０」以外の一点鎖線部は食卓テーブル１０の図示範囲を任意の広さで区切るための便宜上の仕切であり食卓テーブル１０の本来の形状を示すものではない（図４及び図６も同様）。【００１５】  次に本考案を利用する時の態様を図４によって示す。図４は図５の状態から内ロッド２を引き出してアーム１の長さを延長し、内ロッド２の先端を食事者の横腹近辺まで届かせた状態を示す。図４では図５に比べ捕獲ネット１２の開口部が広がり「食卓テーブルの先端部２２」と食事者の胸部・腹部の間の空間、即ち格子状網掛部の「食べこぼしを捕獲できる空間１６」が捕獲範囲となる。従来の方式（図３参照）では、「エプロンに付属のポケット１４」と「食卓テーブルの先端部２２」との間にどうしても［食べこぼしを捕獲できない空間１５」（図３の格子網掛部）が生じるが、本考案はそれも含めた必要範囲の全てをカバーするため取りこぼしがない。【００１６】  又、図７は利用中の本考案を少しだけ下方から見た斜視図であり、アーム１に懸架された捕獲ネット１２とその開口部に沿って設けられたゴムバンド１３の設置態様等を示す。捕獲ネット１２の開口部に沿って縫い付けたゴムバンド１３（図７参照）の張力により、開口部の大きさや形状に違いが生じても結束する力は失われず捕獲ネット１２はアーム１から脱落しない。又、食事中に食事者の着座位置が変わる事があるが、食事者の前腹部が食卓テーブル１０との間である程度接近したり離れたりしても、ゴムバンド１３が伸縮して開口部を腹部に密着させた状態を保つため、いちいち着座位置を調節する必要がない。ゴムバンド１３には極柔らかい伸縮性の部材を用いたので食事者が不快感を引き起こす事もない。
なお捕獲ネット１２をアーム１に懸架する他の方策として、ゴムバンド１３を用いる代わりにロッド２及びロッド３の要所又は他の部位にフックや留め具を設けて捕獲ネット１２の開口部を留めてもよい（図は省略）。【００１７】  次に食卓テーブル１０下部に「突起物または障害物１７」がありアーム１の設置スペースが制約され、ロッド２とロッド３の伸縮機能により図５のようにアーム１の長さを縮めただけでは設置ができない場合の対策を述べる。図６は図４の状態から一対の内ロッド２をまず外ロッド３の中に引き込み、次に外ロッド３を４５度程度水平に回した後の状態を示す。外ロッド３の横腹部分が「突起物または障害物１７」側に面しているため、アーム１と「突起物または障害物１７」との距離は内ロッド２及び外ロッド３の長さに影響されず、従って外ロッド３の旋回機能を用いず図５の向きでしか運用できない場合に比べ適応力が格段に増した。この技術により食卓テーブル１０下部に僅かなスペースさえあれば「突起物または障害物１７」の制約を受けずに本考案を設置できた。【００１８】  次にアーム１を食卓テーブル１０に設置する他の方策について述べる。図８は図１の斜視図における支持盤９の上面にホルダー１８を貼り合せて一体化した、ホルダー９の変形タイプ又は応用態様を示す。ホルダー１８は２枚の板状の硬質部材を上下一定の間隔をあけ片側だけ繋げて一体化したものである。上下の間隔は食卓テーブル１０の厚みよりも大きくなるように余裕を持たせた。これら２枚の間に食卓テーブル１０を充分引き込んだ上で固定用ネジ１９（雄ネジ）を図のように下から差し込み食卓テーブル１０（図示は省略）とホルダー１８がグラつかないよう固定する。固定用ネジ１９を差し込まれるホルダー１８のネジ孔は雌ネジ形式である。
ホルダー１８と固定用ネジ１９の利用により、段落００１２に示した支持盤９を食卓テーブル１０に固定する方策が使えない場合、例えば食卓テーブル１０下部にネジ孔をあけたくない場合や、別の場所で本考案を使う事があるため食卓テーブル１０に固定せず設置・取り外しを容易に行えるようにしたい場合に対応できて便利である。
【図面の簡単な説明】
【００１９】
【図１】アーム１の斜視図。内ロッド２が外ロッド３から引き出された状態と、外ロッド３が旋回脚４の横孔を通して懸架された状態、及び支持盤９を介してアーム１全体が食卓テーブル１０に設置懸架された状態を示す。食卓テーブル１０については側面及び下面を示す。
【図２】内ロッド２が外ロッド３の内部空間に引き込まれた状態と、外ロッド３が旋回脚４の横孔をスライドし内ロッド２の反対側に向けて位置をズラした状態、及び外ロッド３・内ロッド２が旋回脚４・旋回脚上部１１・ブリッジ脚５の旋回構造により水平に旋回する態様（大の弧を描く矢印にて図示）、及び外ロッドストッパー７と旋回制御ストッパー８の各々のネジを回す態様（小・中の弧を描く矢印にて図示）を示す斜視図。なお食卓テーブル１０の図示は省略。
【図３】エプロンを使用した背景技術（従来技術）。食事者が着用したエプロン２３に付属の「エプロンに付属のポケット１４」と食卓テーブル１０との位置または距離関係を真上から示した図。
【図４】図１の状態のアーム１を食卓テーブル１０下面に２基設置し、且つ捕獲ネット１２を装着した場合における食事者と本考案との位置関係を真上から示した透視図。
【図５】図４の状態から内ロッド２を外ロッド３の中に引き込んだ場合の態様を真上から示した透視図。
【図６】食卓テーブル１０下部に「突起物または障害物１７」がある状態及び、外ロッド３を旋回させて狭いスペースでも収納できる事を示す透視図。
【図７】実施例の全体を少し下方から見た斜視図。ゴムバンド１３（格子状の網掛部）を四方に設けた様子、及び捕獲ネット１２の態様等を示す。
【図８】支持盤９にホルダー１８を合体させた態様を示す斜視図。
【符号の説明】
【００２０】１    アーム
２    内ロッド
３    外ロッド
４    旋回脚
５    ブリッジ脚
６    内ロッドストッパー
７    外ロッドストッパー
８    旋回制御ストッパー
９    支持盤
１０  食卓テーブル
１１  旋回脚上部
１２  捕獲ネット
１３  ゴムバンド
１４  エプロンに付属のポケット
１５  食べこぼしを捕獲できない空間
１６  食べこぼしを捕獲できる空間
１７  突起物または障害物
１８  ホルダー
１９  固定用ネジ
２０  食卓テーブル切欠部
２１  ブリッジ
２２  食卓テーブルの先端部
２３  エプロン
【図１】
0003134403.tif 000003
【図２】
0003134403.tif 000004
【図３】
0003134403.tif 000005
【図４】
0003134403.tif 000006
【図５】
0003134403.tif 000007
【図６】
0003134403.tif 000008
【図７】
0003134403.tif 000009
【図８】
0003134403.tif 000010